(57)【要約】【課題】  紫外線が照射されたときに指針を視認でき、紫外線が照射されないときに指針が表示部材に表示された情報を妨げずに視認できる時計装置を提供する。【解決手段】  情報を電気光学的に表示する表示パネル９の上方を運針する指針１３を、紫外線に反応して可視光線を発光する透明な紫外線反応樹脂で形成した。従って、紫外線発光素子１４で紫外線を指針１３に照射すると、指針１３が紫外線に反応して可視光線を発光するので、時刻を知ることができる。また、紫外線発光素子１４が紫外線を発光しない通常状態のときには、指針１３が透明な状態を呈するので、この指針１３を通してその下側に配置された表示パネル９に表示された情報を見ることができる。これにより、指針１３が表示パネル９に表示された情報を妨げずに、良好に表示された情報を視認できる。【選択図】        図２
2007248331.tif 000002
【特許請求の範囲】
【請求項１】
情報を表示する表示部材と、この表示部材の上方を運針する指針と、この指針に紫外線を照射する紫外線発光素子とを備え、
前記指針は、紫外線に反応して可視光線を発光する透明な紫外線反応樹脂で形成されていることを特徴とする時計装置。
【請求項２】
前記指針の一部には、有色の加飾部が設けられていることを特徴とする請求項１に記載の時計装置。
【請求項３】
前記指針は、円板状に形成され、その所定箇所に有色の指針部が設けられていることを特徴とする請求項１に記載の時計装置。
【請求項４】
前記指針の下側にはソーラーパネルが配置されていることを特徴とする請求項１〜３のいずれかに記載の時計装置。
【発明の詳細な説明】
【技術分野】
【０００１】
この発明は、腕時計などの時計に用いられる時計装置に関する。
【背景技術】
【０００２】
従来、時計においては、特許文献１に記載されているように、指針軸に取り付けられて文字板の上方を運針する指針を備え、この指針の一部または全部に紫外線に反応して可視光線を発光する発光材を塗布し、この指針に紫外線発光素子で人間の目に見えない紫外線を照射することにより、指針の一部または全部を人間の目に見える可視光線で発光させるように構成したものがある。
【特許文献１】特開２００３−１６２２４２号
【発明の開示】
【発明が解決しようとする課題】
【０００３】
しかしながら、このような従来の時計では、指針の一部または全部に、紫外線に反応して可視光線を発光する発光材を塗布した構成であるから、紫外線発光素子によって紫外線が照射されると、指針に塗布された発光材が可視光線を発光することにより、時刻を知ることができるが、紫外線発光素子によって紫外線が指針に照射されない通常状態のときには、指針の下側に情報を表示する表示部材が設けられていると、この表示部材に表示された情報が指針によって隠れてしまい、表示された情報が見えくいという問題がある。
【０００４】
この発明が解決しようとする課題は、紫外線が照射されたときに指針を視認することができ、紫外線が照射されないときに指針が表示部材に表示された情報を妨げずに視認することができる時計装置を提供することである。
【課題を解決するための手段】
【０００５】
この発明は、上記課題を解決するために、次のような構成要素を備えている。
なお、各構成要素には、後述する各実施形態の項で説明される各要素に付されている図面の参照番号などを括弧と共に付す。
【０００６】
請求項１に記載の発明は、図１〜図６に示すように、情報を表示する表示部材（表示パネル９）と、この表示部材の上方を運針する指針（１３、３０）と、この指針に紫外線を照射する紫外線発光素子（１４）とを備え、
前記指針が、紫外線に反応して可視光線を発光する透明な紫外線反応樹脂で形成されていることを特徴とする時計装置である。
【０００７】
請求項２に記載の発明は、図３および図４に示すように、前記指針（１３）の一部に有色の加飾部（２０、２２）が設けられていることを特徴とする請求項１に記載の時計装置である。
【０００８】
請求項３に記載の発明は、図５および図６に示すように、前記指針（３０）が円板状に形成され、その所定箇所に有色の指針部（３１）が設けられていることを特徴とする請求項１に記載の時計装置である。
【０００９】
請求項４に記載の発明は、図３および図４に示すように、前記指針（１３、３０）の下側にソーラーパネル（２１）が配置されていることを特徴とする請求項１〜３のいずれかに記載の時計装置である。
【発明の効果】
【００１０】
請求項１に記載の発明によれば、情報を表示する表示部材の上方を運針する指針を、紫外線に反応して可視光線を発光する透明な紫外線反応樹脂で形成したので、紫外線発光素子によって紫外線が指針に照射されると、指針全体が紫外線に反応して可視光線を発光することにより、指針全体を視認することができ、これにより時刻を知ることができる。また、紫外線発光素子が紫外線を発光しない通常状態のときには、指針が透明な状態を呈するので、この指針を通してその下側に配置された表示部材に表示された情報を見ることができ、これにより指針が表示部材の上方を運針する構成であっても、指針が表示部材に表示された情報を妨げることがなく、良好に表示された情報を視認することができる。
【００１１】
請求項２に記載の発明によれば、指針の一部に有色の加飾部が設けられていることにより、紫外線発光素子によって紫外線が指針に照射されて、指針全体が紫外線に反応して可視光線を発光するときに、加飾部を除いて指針のほぼ全体を発光させることができ、これにより時刻を知ることができる。また、紫外線発光素子が紫外線を発光しない通常状態のときには、指針が加飾部を除いて透明な状態を呈するので、この指針を通してその下側に配置された表示部材に表示された情報を見ることができると共に、指針の一部に設けられた加飾部が時刻を指示するので、時刻を知ることができる。このときには、加飾部が指針の一部に設けられているだけであるから、この加飾部が表示部材に表示された情報をほとんど妨げることがなく、良好に表示された情報を視認することができるほか、指針の一部に設けられた加飾部がアクセントとしての装飾効果を付加することができる。
【００１２】
請求項３に記載の発明によれば、指針が円板状に形成され、その所定箇所に有色の指針部が設けられていることにより、紫外線発光素子によって紫外線が指針に照射されて、指針全体が紫外線に反応して可視光線を発光するときに、指針部を除いて円板状の指針のほぼ全体を発光させることができると共に、発光しない指針部によって時刻を知ることができる。このときには、円板状の指針のほぼ全体が発光することにより、指針の下側に配置された表示部材を照明することができ、これにより表示部材に表示された情報をも見ることができる。
【００１３】
また、紫外線発光素子が紫外線を発光しない通常状態のときには、円板状の指針が透明な状態を呈するが、この円板状の指針の所定箇所に設けられた指針部によって時刻を知ることができるほか、円板状の指針が透明な状態を呈するので、この円板状の指針を通してその下側に配置された表示部材に表示された情報を見ることができる。このときには、円板状の指針の所定箇所のみに指針部が設けられているだけであるから、この指針部が表示部材に表示された情報をほとんど妨げることがなく、良好に表示された情報を視認することができる。
【００１４】
請求項４に記載の発明によれば、指針の下側にソーラーパネルが配置されていることにより、紫外線発光素子が紫外線を発光しない通常状態のときに、指針が透明な状態を呈するので、指針が外部光を遮ることがなく、外部光をソーラーパネルに十分に照射させることができ、これによりソーラーパネルの上方を指針が運針する構成であっても、ソーラーパネルが指針の影響をほとんど受けることがないので、ソーラーパネルの受光面積を確保することができると共に、ソーラーパネルの発電効率を高めることができる。
【発明を実施するための最良の形態】
【００１５】
（実施形態１）
以下、図１および図２を参照して、この発明を腕時計に適用した実施形態１について説明する。
図１はこの発明の腕時計の正面図、図２はそのＡ−Ａ矢視における拡大断面図である。
この腕時計は、図１および図２に示すように、腕時計ケース１を備えている。この腕時計ケース１の上面中央部には、図２に示すように、時計ガラス２がパッキン２ａを介して取り付けられており、この腕時計ケース１の内部には、時計モジュール３が中枠４によって収納されている。また、この腕時計ケース１の下面には、裏蓋５が防水リング５ａを介して取り付けられている。
【００１６】
時計モジュール３は、図２に示すように、ハウジング６を備えている。このハウジング６の上面には、文字板７が設けられており、この文字板７の外周部上には見切り部材８が腕時計ケース１の内周面に沿って設けられている。また、このハウジング６には、表示パネル９および時計ムーブメント１０が設けられている。表示パネル９は、液晶表示素子やＥＬ（エレクトロ・ルミネッセンス）素子、電子ペーパなどの平面型の表示素子からなり、時刻や日付などの各種の情報を電気光学的に表示するものであり、文字板７の所定箇所に設けられた表示用開口部７ａに対応して設けられている。
【００１７】
時計ムーブメント１０は、図２に示すように、指針軸１１が表示パネル９および文字板７の各貫通孔１２を通して文字板７の上方に突出し、この突出した指針軸１１の上端部に指針１３が取り付けられ、この状態で指針軸１１を一定時間で回転させることにより、指針１３が文字板７の上方を運針して時刻を指示するように構成されている。この場合、指針１３は、図２に示すように、時針１３ａと分針１３ｂとを備えている。また、指針軸１１は、筒状の時針軸１１ａと分針軸１１ｂとを備え、筒状の時針軸１１ａ内に分針軸１１ｂが回転自在に挿入されて時針軸１１ａの上方に突出し、この突出した分針軸１１ｂの上端部に分針１３ｂが取り付けられ、この分針１３ｂの下側に位置する時針軸１１ａの上端部に時針１３ａが取り付けられている。
【００１８】
また、見切り部材８には、人間の目に見えない紫外線（ブラックライト）を発光する紫外線発光素子１４が、指針１３とほぼ同じ高さで設けられている。この紫外線発光素子１４は、波長が３６５ｎｍ（ナノメートル：ナノは１０億分の１メートル）付近または２４５〜３６５ｎｍの紫外線領域の光を発光する紫外線灯または紫外線発光ダイオード（ＬＥＤ）などの発光素子で構成され、時計モジュール３内の回路基板（図示せず）と電気的に接続されている。この場合、紫外線発光素子１４は、見切り部材８の一箇所に設けられているだけでも良いが、１２時と６時との互いに対向する２箇所に設けられていることが望ましい。
【００１９】
そして、この時計モジュール３は、図２に示すように、見切り部材８が文字板７の外周部をハウジング６上に押え付けた状態で中枠４内に組み込まれ、この状態で腕時計ケース１内に収納されるときに、その下面に緩衝部材１５が配置され、この緩衝部材１５が裏蓋５によって押えられることにより、この緩衝部材１５によって腕時計ケース１内にガタツクことなく組み込まれている。
【００２０】
ところで、指針１３は、紫外線に反応して可視光線を発光する無色透明な紫外線反応樹脂で形成されている。すなわち、この指針１３の紫外線反応樹脂は、波長が３５０〜４００ｎｍまたは２５４〜３６０ｎｍの紫外線に反応して人間の目に見える有色の可視光線を発光するものであり、紫外線が照射されない通常状態のときに透明な状態を呈し、その下側に配置された文字板７および表示パネル９の視認性を妨げないように構成されている。また、この紫外線反応樹脂は、その発光色が、赤、青、緑（または黄色）の３色を基本として、その色数が１０〜１３種類ある。
【００２１】
このような腕時計によれば、情報を電気光学的に表示する表示パネル９の上方を運針する指針１３を、紫外線に反応して可視光線を発光する無色透明な紫外線反応樹脂で形成したので、見切り部材８に配置された紫外線発光素子１４を発光させて指針１３に紫外線を照射すると、紫外線反応樹脂からなる指針１３全体が紫外線に反応して可視光線を発光することにより、指針１３全体を視認することができ、これにより良好に時刻を知ることができる。
【００２２】
また、この腕時計では、紫外線発光素子１４が紫外線を発光しない通常状態のときに、図１に示すように、指針１３が透明な状態を呈するので、この指針１３を通してその下側に配置された表示パネル９に表示された時刻や日付などの情報を見ることができ、これにより指針１３が表示パネル９の上方を運針する構成であっても、指針１３が表示パネル９に表示された情報を妨げることがなく、良好に表示された情報を視認することができる。
【００２３】
（実施形態２）
次に、図３を参照して、この発明を腕時計に適用した実施形態２について説明する。なお、図１および図２に示された実施形態１と同一部分には同一符号を付して説明する。
この腕時計は、指針１３の一部に有色の加飾部２０を設けると共に、文字板７上にソーラーパネル２１を設けた構成で、これ以外は実施形態１と同じ構成になっている。
【００２４】
すなわち、加飾部２０は、不透明な部分であり、図３に示すように、指針１３の中間部に指針１３の長手方向に沿って細いライン状に印刷などによって所定の色、例えば黒色で設けられている。また、ソーラーパネル２１は、外部光を受光して起電力を発生するものであり、図３に示すように、複数に分割された状態で、文字板７の上面にその表示用開口部７ａを除いて設けられている。
【００２５】
このような腕時計によれば、実施形態１と同様の作用効果があるほか、特に指針１３の中間部に有色の加飾部２０が細いライン状に設けられていることにより、紫外線発光素子１４によって紫外線が指針１３に照射されて、指針１３全体が紫外線に反応して可視光線を発光するときに、加飾部２０を除いて指針１３のほぼ全体を発光させることができ、これにより指針１３の全体を視認することができるので、良好に時刻を知ることができる。
【００２６】
また、この腕時計では、紫外線発光素子１４が紫外線を発光しない通常状態のときに、指針１３の中間部に細いライン状に設けられた加飾部２０を除いて指針１３のほぼ全体が透明な状態を呈するので、この指針１３を通してその下側に配置された表示パネル９に表示された時刻や日付などの情報を見ることができると共に、指針１３の中間部に細いライン状に設けられた加飾部２０によって時刻を知ることができる。
【００２７】
この場合、加飾部２０は、指針１３の中間部に細いライン状に設けられているだけであるから、指針１３の下側に配置された表示パネル９に表示された時刻や日付などの情報をほとんど妨げることがなく、良好に表示された情報を視認することができるほか、指針１３の中間部に細いライン状に設けられた加飾部２０がアクセントとしての装飾効果を付加することができる。
【００２８】
また、紫外線発光素子１４が紫外線を発光しない通常状態のときに、指針１３が透明な状態を呈し、且つ加飾部２０が指針１３の中間部に細いライン状に設けられているだけであるから、指針１３の下側にソーラーパネル２１を配置しても、指針１３が外部光をほとんど遮ることがなく、外部光をソーラーパネル２１に十分に照射させることができる。このため、ソーラーパネル２１の上方を指針１３が運針する構成であっても、ソーラーパネル２１が指針１３の影響をほとんど受けることがないので、ソーラーパネル２１の受光面積を十分に確保することができると共に、ソーラーパネル２１の発電効率を高めることができる。
【００２９】
なお、上記実施形態２では、指針１３の中間部に有色の加飾部２０を指針１３の長手方向に沿って細いライン状に設けた場合について述べたが、これに限らず、例えば図４に示すように指針１３の先端部分のみに有色の加飾部２２を設けた構成でも良い。このような構成でも、実施形態２と同様の作用効果があるほか、特に加飾部２２が指針１３の先端部分のみに設けられているだけであるから、より一層、表示パネル９に表示された情報を見やすることができると共に、ソーラーパネル２１の受光面積を更に広くすることができ、且つソーラーパネル２１の発電効率を更に高めることができる。
【００３０】
（実施形態３）
次に、図５および図６を参照して、この発明を腕時計に適用した実施形態３について説明する。この場合にも、図１および図２に示された実施形態１と同一部分に同一符号を付して説明する。
この腕時計は、指針３０を無色透明の紫外線反応樹脂によって円板状に形成し、この円板状の指針３０の所定箇所に有色の指針部３１を設けた構成で、これ以外は実施形態１とほぼ同じ構成になっている。
【００３１】
すなわち、指針３０は、図６（ａ）に示す小径の円板状に形成された時針３０ａと、図６（ｂ）に示す大径の円板状に形成された分針３０ｂとを備え、時針３０ａおよび分針３０ｂのいずれも、実施形態１と同じ無色透明の紫外線反応樹脂によって形成されている。この場合、指針軸１１は、実施形態１と同様、筒状の時針軸１１ａと分針軸１１ｂとを備え、筒状の時針軸１１ａ内に分針軸１１ｂが回転自在に挿入されて時針軸１１ａの上方に突出し、この突出した分針軸１１ｂの上端部に円板状の分針３０ｂが取り付けられ、この円板状の分針３０ｂの下側に位置する時針軸１１ａの上端部に円板状の時針３０ａが取り付けられている。
【００３２】
また、小径の円板状に形成された時針３０ａには、図６（ａ）に示すように、時針部３１ａが指針軸１１に対応する中心部から外周端に亘って細いライン状に印刷などによって所定の色、例えば黒色で設けられている。また、大径の円板状に形成された分針３０ｂには、図６（ｂ）に示すように、分針部３１ｂが指針軸１１に対応する中心部から外周端に亘って細いライン状に印刷などによって時針３０ａと同様に設けられている。従って、この指針３０は、図５に示すように、時針３０ａおよび分針３０ｂがそれぞれ円板状に形成されていても、その各所定箇所に設けられた時針部３１ａと分針部３１ｂとからなる指針部３１によって時刻を指示するように構成されている。
【００３３】
また、指針３０は、時針３０ａと分針３０ｂとが無色透明の紫外線反応樹脂によって形成されていることにより、図５に示すように、大径の分針３０ｂの下側に小径の時針３０ａが配置されていても、大径の円板状に形成された分針３０ｂを通して下側の時針３０ａの時針部３１ａが見えると共に、この時針３０ａを通してその下側に配置された表示パネル９も見えるように構成されている。この場合、指針３０の下側に配置された文字板７は、図５に示すように、指針３０の分針３０ｂの外周を囲うリング状に形成されている。また、表示パネル９は、文字板７の下側に配置され、その表示領域が指針３０の分針３０ｂとほぼ同じ大きさに形成されている。
【００３４】
このような腕時計によれば、指針３０が円板状に形成され、その所定箇所に有色の指針部３１が細いライン状に設けられていることにより、紫外線発光素子１４によって紫外線が指針３０に照射されて、指針３０全体が紫外線に反応して可視光線を発光するときに、指針部３１を除いて円板状の指針３０のほぼ全体を発光させることができると共に、有色の指針部３１によって時刻を指示することができ、これにより時刻を知ることができる。このときには、指針３０の全体が発光することにより、その下側に配置された表示パネル９を照明することができ、これにより表示パネル９に表示された情報をも見ることができる。
【００３５】
また、この腕時計では、紫外線発光素子１４が紫外線を発光しない通常状態のときに、円板状の指針３０が透明な状態を呈するので、この円板状の指針３０を通してその下側に配置された表示パネル９に表示された時刻や日付などの情報を見ることができると共に、指針３０の所定箇所に細いライン状に設けられた指針部３１を視認することができるので、この指針部３１によって時刻を知ることができる。この場合、指針部３１は円板状の指針３０の所定箇所のみに細いライン状に設けられているだけであるから、円板状の指針３０の下側に配置された表示パネル９に表示された時刻や日付などの情報を指針部３１がほとんど妨げることがなく、良好に表示された情報を視認することができる。
【００３６】
なお、上記実施形態３では、文字板７が指針３０の分針３０ｂの外周を囲うリング状に形成されている場合について述べたが、これに限らず、例えば文字板７を実施形態２と同じ形状、つまり所定箇所のみに表示用開口部７ａが設けられた形状に形成し、その上面に表示用開口部７ａを除いてソーラーパネル２１を設けた構成でも良い。このような構成でも、実施形態２と同様、指針３０を通して外部光をソーラーパネル２１に十分に照射させることができ、これによりソーラーパネル２１の受光面積を確保することができると共に、ソーラーパネル２１の発電効率を高めることができる。
【００３７】
また、上記実施形態１〜３およびその変形例では、腕時計に適用した場合について述べたが、必ずしも腕時計である必要はなく、トラベルウオッチ、目覚まし時計、置き時計、掛け時計などの各種の時計に広く適用することができる。
【図面の簡単な説明】
【００３８】
【図１】この発明を適用した腕時計の拡大正面図である。（実施形態１）
【図２】図１のＡ−Ａ矢視における要部の拡大断面図である。
【図３】この発明を適用した腕時計の時計モジュールを示した拡大正面図である。（実施形態２）
【図４】実施形態２の指針の変形例を示した時計モジュールの拡大正面図である。
【図５】この発明を適用した腕時計の拡大正面図である。（実施形態３）
【図６】図５の円板状の指針を示し、（ａ）はその時針を示した拡大正面図、（ｂ）はその分針を示した拡大正面図である。
【符号の説明】
【００３９】
１  腕時計ケース
２  時計ガラス
３  時計モジュール
９  表示パネル
１０  時計ムーブメント
１１  指針軸
１３、３０  指針
２０、２２  加飾部
２１  ソーラーパネル
３１  指針部
【図１】
2007248331.tif 000003
【図２】
2007248331.tif 000004
【図３】
2007248331.tif 000005
【図４】
2007248331.tif 000006
【図５】
2007248331.tif 000007
【図６】
2007248331.tif 000008